(57)【特許請求の範囲】
【請求項１】
開口部を有する本体部と、その開口部を覆うカバーとで構成され、前記本体部に、所定の電源に電気的に接続される電源接続部と、負荷装置に電気的に接続される負荷接続部と、前記電源接続部と前記負荷接続部との間に着脱可能に取り付けられて両接続部を電気的に接続する導電部とを有するカットアウト装置において、前記負荷接続部を接地するために前記導電部を取り外して前記電源接続部と前記負荷接続部とを電気的に非接続状態にした後、前記導電部の代わりに取り付けられる接地用器具であって、
前記カットアウト装置に取り付けられたとき前記負荷接続部に電気的に接続される接続用端子部と、前記カットアウト装置に取り付けられたとき該装置の外側に突出する接地用端子部と、これら両端子部の間を電気的に接続する導電部材とを備え、
前記カットアウト装置に取り付けられたとき前記カバーが前記本体部の開口部を覆うことができるように前記本体部に収納されることを特徴とする接地用器具。
【請求項２】
請求項１記載の接地用器具において、
前記導電部材に絶縁部材が結合され、前記カットアウト装置に取り付けられたとき前記絶縁部材が前記本体部内に支持されることを特徴とする接地用器具。
【請求項３】
請求項２記載の接地用器具において、
前記カットアウト装置に取り付けられたとき前記絶縁部材が前記電源接続部に接続されることを特徴とする接地用器具。
【請求項４】
開口部を有する本体部と、その開口部を覆うカバーとで構成され、前記本体部に、所定の電源に電気的に接続される電源接続部と、負荷装置に電気的に接続される負荷接続部と、前記電源接続部と前記負荷接続部との間に着脱可能に取り付けられて両接続部を電気的に接続する導電部とを有するカットアウト装置において、前記負荷接続部を接地するために前記導電部を取り外して前記電源接続部と前記負荷接続部とを電気的に非接続状態にした後、前記導電部の代わりに取り付けられる接地用器具と、導電ケーブルとで構成され、
前記接地用器具は、前記カットアウト装置に取り付けられたとき前記負荷接続部に電気的に接続される接続用端子部と、前記カットアウト装置に取り付けられたとき該装置の外側に突出する接地用端子部と、これら両端子部の間を電気的に接続する導電部材とを備え、前記カットアウト装置に取り付けられたときには前記カバーが前記本体部の開口部を覆うことができるように前記本体部に収納され、
前記導電ケーブルは、一端は前記接地用器具の接地用端子部に電気的に接続され、他端はアースに接続される
ことを特徴とする接地短絡装置。
【請求項５】
請求項４記載の接地短絡装置において、
前記接地用器具の導電部材に絶縁部材が結合され、前記接地用器具が前記カットアウト装置に取り付けられたとき前記絶縁部材が前記本体部内に支持されることを特徴とする接地短絡装置。
【請求項６】
請求項５記載の接地短絡装置において、
前記接地用器具が前記カットアウト装置に取り付けられたとき前記絶縁部材が前記電源接続部に接続されることを特徴とする接地短絡装置。
【請求項７】
請求項４乃至６のいずれか記載の接地短絡装置において、
前記導電ケーブルの一端側が途中で複数に分岐し、各分岐端が複数のカットアウト装置の端子部にそれぞれ電気的に接続されることを特徴とする接地用短絡装置。
【発明の詳細な説明】
【技術分野】
【０００１】
本発明は、所定の電源と負荷装置との間に設置されるカットアウト装置に取り付けられる接地用器具及び接地短絡装置に関する。
【背景技術】
【０００２】
一般に、商用電源等の所定の電源から供給される電圧は、負荷装置へ供給する電圧よりも高い電圧となっているので、所定の電源と負荷装置との間に負荷装置に応じた電圧を供給する変圧器が設置される。さらに、変圧器の容量を超える過大な電流が変圧器に流れ込むことを防止するために、所定の電源と変圧器との間にヒューズを内蔵するカットアウト装置が設置される。
【０００３】
この種のカットアウト装置としては、例えば図４に示すように、開口部を有する箱型の本体部１１と、その開口側に回動可能に取り付けられたカバー１２とを備えたカットアウト装置１０が知られている。
【０００４】
カットアウト装置１０の本体部１１には、商用電源からの電線１６が電気的に接続する電源接続部１３と、負荷装置側の変圧器への電線１７が電気的に接続する負荷接続部１４とが配設されている。また、電源接続部１３と負荷接続部１４との間に、差込孔１５が設けられている。
【０００５】
カットアウト装置１０のカバー１２には、着脱可能なヒューズ筒２０が取り付けられている。図５（Ａ）及び（Ｂ）に示すように、ヒューズ筒２０は、本体絶縁部２１と、電源接続部側の導電刃２２と、負荷接続部側の導電刃２３と、ヒューズ２４とを備える。
【０００６】
本体絶縁部２１は、先端にいくにつれて径が段階的に太くなる筒である。先端には、絶縁体で形成され内部にバネを有する溶断表示部２５が取り付けられている。
【０００７】
電源接続部側の導電刃２２と負荷接続部側の導電刃２３は、共に導電体で形成された電源接続部側の導電刃支持部２６と負荷接続部側の導電刃支持部２７により、それぞれ本体絶縁部２１に固定されている。各導電刃２２、２３は、各支持部２６、２７にそれぞれ電気的に接続している。
【０００８】
ヒューズ２４は、一端が負荷接続部側の導電刃支持部２７に電気的に接続する導電片２８を介して負荷接続部側の導電刃２３に電気的に接続し、他端が溶断表示部２５及び本体絶縁部２１の内側を通って電源接続部側の導電刃２２に電気的に接続する。過電流によりヒューズ２４が切断されると、溶断表示部２５は、その内部に配置されたバネ（図示しない）により、図５（Ｂ）の破線の位置まで突出する。
【０００９】
本体部１１の開放面側を閉じるようにカバー１２を回動させると、本体部１１の開口部を覆うと同時に、電源接続部１３と電源接続部側の導電刃２２が、負荷接続部１４と負荷接続部側の導電刃２３がそれぞれ電気的に接続し、ヒューズ筒２０を介して電源接続部１３と負荷接続部１４が電気的に接続する。
【００１０】
作業者が屋外の電柱に設けられた変圧器を交換又は点検する際には、カットアウト装置１０のカバー１２を回動させて本体部１１を開放状態にすることにより、電源接続部１３と負荷接続部１４との間を電気的に非接続状態にする。
【００１１】
従来、本体部１１を開放した状態で、例えば図４に示す接地短絡装置５０をカットアウト装置１０に取り付けて負荷装置側を接地する方法が知られている。これにより、負荷装置側に発電機等の電源が備え付けられていた場合に、負荷接続部１４に誤って触れて感電することを防ぐことができる。
【００１２】
接地短絡装置５０は、ダミー蓋体３０と接地短絡器具４０とで構成される。
【００１３】
ダミー蓋体３０は、カットアウト装置１０の本体部１１が開放状態のときに本体部１１に取り付けることができる形状であり、負荷接続部側の導電刃３３と、ダミー絶縁刃３５と、接地用端子部３６とを備える。ダミー蓋体３０が本体部１１に取り付けられると、負荷接続部側の導電刃３３は、本体部１１の負荷接続部１４に電気的に接続する。ダミー絶縁刃３５は、差込孔１５に差し込まれ、ダミー蓋体３０が本体部１１から脱落しないように支持する。接地用端子部３６は、負荷接続部側の導電刃３３及びダミー絶縁刃３５とは反対側の面に設けられて、負荷接続部側の導電刃３３と電気的に接続しており、その先端には雄ネジが刻設されている。
【００１４】
接地短絡器具４０は、一端に端子接続部４１、他端に接地部４２を備えて一端側が複数に分岐した導電ケーブル４３と、絶縁操作棒４４とで構成される。端子接続部４１には、接地用端子部３６に接続可能な雌ネジが刻設されている。絶縁操作棒４４は、一端が端子接続部４１に結合される導電ケーブル４３を覆う筒である。
【００１５】
カットアウト装置１０の負荷装置側を接地する際には、作業者は、まず、接地短絡器具４０の接地部４２を接地棒（図示しない）に取り付けて、接地部４２と接地棒とを電気的に接続する。次に、ダミー蓋体３０に接地短絡器具４０を取り付ける。ダミー蓋体３０の接地用端子部３６に、接地短絡器具４０の端子接続部４１を取り付けることにより、接地用端子部３６と端子接続部４１とが電気的に接続し、さらに負荷接続部側の導電刃３３と接地棒とが電気的に接続する。最後に、カットアウト装置１０の本体部１１を開放した状態で、本体部１１にダミー蓋体３０を取り付ける。このとき、絶縁操作棒４４を把持してダミー蓋体３０を取り付けると操作がしやすい。本体部１１にダミー蓋体３０を取り付けることによって、負荷接続部１４と負荷接続部側の導電刃３３とが電気的に接続し、さらに負荷接続部１４と接地棒とが電気的に接続して、カットアウト装置１０の負荷接続部１４を接地することができる。
【発明の開示】
【発明が解決しようとする課題】
【００１６】
しかしながら、例えば受電室のような狭い空間に設けられたカットアウト装置の負荷装置側を接地する際に上述の接地短絡装置を使用すると、カバーがカットアウト装置の本体部を覆っていない状態、すなわちカバーが開いた状態で、接地短絡装置が取り付けられているので、取り付け空間を大きく必要とする。このため、接地作業及び交換や点検等の接地中作業がしづらいという問題がある。さらに、作業者がカットアウト装置又は接地短絡装置に誤ってぶつかった場合に、カットアウト装置から接地短絡装置が脱落する恐れがある。
【００１７】
本発明の目的は、所定の電源と負荷装置との間に設置されるカットアウト装置に取り付けられる、取り付け空間を大きく必要とせず、かつカットアウト装置から脱落しない接地用器具及び接地短絡装置を提供することである。
【課題を解決するための手段】
【００１８】
本発明の接地用器具は、開口部を有する本体部と、その開口部を覆うカバーとで構成され、前記本体部に、所定の電源に電気的に接続される電源接続部と、負荷装置に電気的に接続される負荷接続部と、前記電源接続部と前記負荷接続部との間に着脱可能に取り付けられて両接続部を電気的に接続する導電部とを有するカットアウト装置において、前記負荷接続部を接地するために前記導電部を取り外して前記電源接続部と前記負荷接続部とを電気的に非接続状態にした後、前記導電部の代わりに取り付けられる接地用器具であって、
前記カットアウト装置に取り付けられたとき前記負荷接続部に電気的に接続される接続用端子部と、前記カットアウト装置に取り付けられたとき該装置の外側に突出する接地用端子部と、これら両端子部の間を電気的に接続する導電部材とを備え、前記カットアウト装置に取り付けられたとき前記カバーが前記本体部の開口部を覆うことができるように前記本体部に収納されることを特徴とする。
【００１９】
本発明の接地用器具において、前記導電部材に絶縁部材が結合され、前記カットアウト装置に取り付けられたとき前記絶縁部材が前記本体部内に支持されることが好ましい。これにより、前記カバーを外したときに前記接地用器具が前記本体部から誤って脱落することを防ぐことができる。
【００２０】
また、前記接地用器具が前記カットアウト装置に取り付けられたとき前記絶縁部材が前記電源接続部に接続されるようにしてもよい。これにより、前記電源接続部に電荷が蓄積していた場合に電荷の漏れを防ぐことができる。
【００２１】
本発明の接地短絡装置は、開口部を有する本体部とその開口部を覆うカバーとで構成され、前記本体部に、所定の電源に電気的に接続される電源接続部と、負荷装置に電気的に接続される負荷接続部と、前記電源接続部と前記負荷接続部との間に着脱可能に取り付けられて両接続部を電気的に接続する導電部とを有するカットアウト装置において、前記負荷接続部を接地するために前記導電部を取り外して前記電源接続部と前記負荷接続部とを電気的に非接続状態にした後、前記導電部の代わりに取り付けられる接地用器具と、導電ケーブルとで構成され、
前記接地用器具は、前記カットアウト装置に取り付けられたとき前記負荷接続部に電気的に接続される接続用端子部と、前記カットアウト装置に取り付けられたとき該装置の外側に突出する接地用端子部と、これら両端子部の間を電気的に接続する導電部材とを備え、前記カットアウト装置に取り付けられたときには前記カバーが前記本体部の開口部を覆うことができるように前記本体部に収納され、前記導電ケーブルは、一端は前記接地用器具の接地用端子部に電気的に接続され、他端はアースに接続されることを特徴とする。
【００２２】
本発明の接地短絡装置において、前記接地用器具の導電部材に絶縁部材が結合され、前記接地用器具が前記カットアウト装置に取り付けられたとき前記絶縁部材が前記本体部内に支持されることが好ましい。これにより、前記カバーを外したときに前記接地用器具が前記本体部から誤って落ちてしまうことを防ぐことができる。
【００２３】
また、前記接地短絡装置において、前記接地用器具が前記カットアウト装置に取り付けられたとき前記絶縁部材が前記電源接続部に接続されるようにしてもよい。これにより、前記電源接続部に電荷が蓄積していた場合に電荷の漏れを防ぐことができる。
【００２４】
さらに、前記導電ケーブルの一端側が途中で複数に分岐し、各分岐端が複数のカットアウト装置の端子部にそれぞれ電気的に接続されるようにしてもよい。これにより、単相３線式の電線等のように１つの変圧器に複数のカットアウト装置が設置されている場合に、１本の導電ケーブルでそれらに取り付けることができる。
【発明の効果】
【００２５】
本発明によれば、所定の電源と負荷装置との間に設置されるカットアウト装置に取り付けられたときに、カットアウト装置の本体部に収納されてカットアウト装置のカバーが前記本体部の開口部を覆うために、取り付け空間を大きく必要としない上に、カットアウト装置から脱落しない接地用器具及び接地短絡装置が提供される。
【発明を実施するための最良の形態】
【００２６】
以下、カットアウト装置の負荷接続部を接地する場合について説明する。
【００２７】
まず、上記カットアウト装置１０のヒューズ筒２０を取り外して、代わりに取り付ける接地用器具について説明する。図１は、実施例の接地用器具の全体構成を示す図であり、（Ａ）は平面図、（Ｂ）は側面図である。
【００２８】
接地用器具１２０は、本体導電部１２９と、本体絶縁部１２１と、負荷接続部側の導電刃１２３とを備える。
【００２９】
本体導電部１２９は、先端にいくにつれて径が段階的に太くなる筒である。先端部１２９ａは後述のように接地用端子部として使用される。先端部１２９ａの表面はスリット加工されていて、後述のワニ口クリップ形状の端子接続部１４１が取り付けられたときに滑りにくくなっている。また、図２に示すように、接地用器具１２０がカットアウト装置１０のカバー１２に取り付けられたとき、先端部１２９ａがカットアウト装置１０の側面の外側に長さ 10 mm 程度突出する。なお、ここでは、本体導電部１２９と先端部１２９ａは一体となっているが、一体でなくてもよい。
【００３０】
負荷接続部側の導電刃１２３は、後述のように接地用器具１２０がカットアウト装置１０に取り付けられたときにその負荷接続部１４に電気的に接続される接続用端子部として用いられるものであり、負荷接続部側の導電刃支持部１２７（導電体）によって、本体導電部１２９に固定されている。
【００３１】
本体絶縁部１２１は、一端が本体導電部１２９の末端に結合されている絶縁部材からなる。本体絶縁部１２１はなくてもよいが、これを設けた場合には、カットアウト装置１０に接地用器具１２０を取り付けたとき、接地用器具１２０が確実に支持されるという利点がある。本体絶縁部１２１の末端には、絶縁体で形成された支持部１２６が取り付けられている。
【００３２】
また、電源接続部側の導電刃１２２（図中の破線部）があってもよく、これは、電源接続部側の導電刃支持部１２６（絶縁体）によって、本体絶縁部１２１に固定される。これにより、カットアウト装置１０に取り付けた接地用器具１２０を確実に支持できると共に、絶縁部材がカットアウト装置１０の電源接続部１３に接続するので、電源接続部の表面に蓄積した電荷の漏れを防ぐことができる。
【００３３】
次に、実施例の接地用器具のカットアウト装置への取り付けについて説明する。図２は、実施例の接地用器具のカットアウト装置への取り付けを説明する側面状態図である。
【００３４】
カットアウト装置１０は、図４に示したものと同じである。カットアウト装置のカバー１２に取り付けられたヒューズ筒２０を取り外し、代わりに接地用器具１２０を取り付ける。このとき、上述のように、本体導電部の先端部１２９ａがカットアウト装置１０の側面の外側に突出する。
【００３５】
次に、接地短絡装置を説明する。図３は、実施例の接地短絡装置の全体構成を示す側面状態図である。
【００３６】
接地短絡装置１５０は、上述の接地用器具１２０と、導電ケーブル１４０とで構成される。
【００３７】
カットアウト装置１０のカバー１２に接地用器具１２０を取り付けて、本体部１１の開放面側を閉ざすようにカバー１２を回動させると、本体部１１に蓋をすると同時に、負荷接続部側の導電刃１２３が接続用端子部として負荷接続部１４に電気的に接続し、本体導電部の先端１２９ａが接地用端子部として本体導電部１２９及び導電刃１２３を介して負荷接続部１４と電気的に接続する。
【００３８】
導電ケーブル１４０は、一端に端子接続部１４１と、他端に接地部１４２とを備える。端子接続部１４１と接地部１４２はワニ口クリップでもよい。導電ケーブルは、一端側が途中で複数に分岐し、複数の前記カットアウト装置の端子部に、一端がそれぞれ電気的に接続されるものでもよい。これにより、単相３線式の電線等のように１つの変圧器に複数のカットアウト装置が設置されている場合に、１本の導電ケーブルでそれらに取り付けることができる。
【００３９】
カットアウト装置１０の本体部１１をカバー１２で閉じた状態で、導電ケーブル１４０の端子接続部１４１を接地器具１２０の本体導電部の先端１２９ａに取り付け、電気的に接続させる。一方、導電ケーブル１４０の接地部１４２については、端子接続部１４１を本体導電部の先端１２９ａに取り付ける前に、接地部１４２を接地棒（図示しない）に取り付けて、電気的に接続させておく。その結果、カットアウト装置１０の負荷接続部１４と接地棒が電気的に接続して、カットアウト装置１０の負荷接続部１４を接地することができる。
【図面の簡単な説明】
【００４０】
【図１】実施例の接地用器具の全体構成を示す図で、（Ａ）は平面図、（Ｂ）は側面図である。
【図２】カットアウト装置への実施例の接地用器具の取り付けを説明する側面状態図である。
【図３】実施例の接地短絡装置の全体構成を示す側面状態図である。
【図４】従来技術の設置短絡装置を示す側面状態図である。
【図５】ヒューズ筒の全体構成を示す図で、（Ａ）は平面図、（Ｂ）は側面図である。
【符号の説明】
【００４１】
１０：カットアウト装置、１１：本体部、１２：カバー、１３：電源接続部、１４：負荷接続部、１５：差込孔、１６：商用電源からの電線、１７：負荷装置側への電線、２０：ヒューズ筒、２１：本体絶縁部、２２：電源接続部側の導電刃、２３：負荷接続部側の導電刃、２４：ヒューズ、２５：導電片、３０：ダミー蓋体、３３：負荷接続部側の導電刃、３５：ダミー絶縁刃、３６：接地用端子部、４０：接地短絡器具、４１：端子接続部、４２：接地部、４３：導電ケーブル、４４：絶縁操作棒、５０：接地短絡装置、１２０：接地用器具、１２１：本体絶縁部、１２２：電源接続部側の絶縁刃、１２３：負荷接続部側の導電刃、１２９：本体導電部、１２９ａ：本体導電部の先端（接地用端子部）、１４０：導電ケーブル、１４１：端子接続部、１４２：接地部、１５０：接地短絡装置。
【図１】
0004749143.tif 000002
【図２】
0004749143.tif 000003
【図３】
0004749143.tif 000004
【図４】
0004749143.tif 000005
【図５】
0004749143.tif 000006